(57)【要約】    【課題】  異常接近時及び通常着座時において、乗員の首傷害を低減させることが可能なエアバッグ装置を提供すること。  【解決手段】  本発明に係るエアバッグ装置は、車両内の乗員を拘束するエアバッグ装置において、膨張展開可能な状態で収容され、膨張展開時に乗員側中央付近に凹部が形成される１つの袋で構成されるエアバッグと；前記エアバッグを収容するハウジングと；一端が前記ハウジング付近に固定され、他端が前記凹部の底部に対応する前記エアバッグに固定される規制部材とを備えている。そして、前記エアバッグの膨張展開時に、前記規制部材によって前記エアバッグの中央付近が乗員側に移動するのを規制することで前記凹部を形成する構成となっている。  【選択図】  図５
2006051884.tif 000002
【特許請求の範囲】
【請求項１】
車両内の乗員を拘束するエアバッグ装置において、
膨張展開可能な状態で収容され、膨張展開時に乗員側中央付近に凹部が形成される１つの袋で構成されるエアバッグと；
前記エアバッグを収容するハウジングと；
一端が前記ハウジング付近に固定され、他端が前記凹部の底部に対応する前記エアバッグに固定される規制部材とを備え、
前記エアバッグの膨張展開時に、前記規制部材によって前記エアバッグの中央付近が乗員側に移動するのを規制することで前記凹部を形成することを特徴とするエアバッグ装置。
【請求項２】
前記エアバッグは、前記凹部の内壁を形成するインナーパネルと；それ以外の本体パネルとを備えることを特徴とする請求項１に記載のエアバッグ装置。
【請求項３】
前記インナーパネルは、２枚のパネルを貼り合わせた構成であることを特徴とする請求項２に記載のエアバッグ装置。
【請求項４】
前記エアバッグ内部に膨張ガスを供給するガス供給部と；前記ガス供給部が固定される固定部とを更に備え、
前記規制部材の一端が前記固定部に固定され、他端が前記凹部の底部に対応する前記インナーパネルに固定されることを特徴とする請求項２又は３に記載のエアバッグ装置。
【請求項５】
前記規制部材は、前記エアバッグと同一素材で成形されることを特徴とする請求項１，２，３又は４に記載のエアバッグ装置。
【発明の詳細な説明】
【技術分野】
【０００１】
本発明は、車両用エアバッグ装置に関し、特に、乗員がエアバッグ装置に対して異常接近している際の傷害値低減を図り得るエアバッグ装置に関する。
【背景技術】
【０００２】
エアバッグ装置、特にステアリングホイール（ハンドル）中心部に収容される運転席用エアバッグ装置や、インパネ（ダッシュボード）内に収容される助手席用のエアバッグ装置においては、エアバッグの速やかな展開が重要である。反面、乗員がステアリングホイールやインパネに異常接近している際の乗員傷害値を低減させることが要求される。
【０００３】
特開２００３−３３５２０３に記載された発明においては、乗員に対して左右に位置する２つのエアバッグを備え、これら２つのエアバッグを乗員側端部においてタイパネルで連結している。
【０００４】
【特許文献１】特開２００３−３３５２０３
【発明の開示】
【発明が解決しようとする課題】
【０００５】
しかしながら、特開２００３−３３５２０３に記載された発明では、エアバッグの膨張展開時にタイパネルが乗員の頭部もしくは頸部に強く接触し、乗員の首傷害が悪化する恐れがあった。このような問題は、異常接近（アウトオブポジション）時のみならず、通常着座時においても起こり得るものである。
【０００６】
本発明は、上記のような状況に鑑みてなされたものであり、異常接近時及び通常着座時において、乗員の首傷害を低減させることが可能なエアバッグ装置を提供することを目的とする。
【課題を解決するための手段】
【０００７】
上記目的を達成するために、本発明に係るエアバッグ装置は、車両内の乗員を拘束するエアバッグ装置において、膨張展開可能な状態で収容され、膨張展開時に乗員側中央付近に凹部が形成される１つの袋で構成されるエアバッグと；前記エアバッグを収容するハウジングと；一端が前記ハウジング付近に固定され、他端が前記凹部の底部に対応する前記エアバッグに固定される規制部材とを備えている。そして、前記エアバッグの膨張展開時に、前記規制部材によって前記エアバッグの中央付近が乗員側に移動するのを規制することで前記凹部を形成する構成となっている。
【０００８】
本発明によれば、乗員がインパネに異常接近した状態でエアバッグ装置が作動した場合、エアバッグが乗員側に展開しようとするが、規制部材によってエアバッグの中央付近が乗員側へ移動するのが規制され、凹部が形成される。乗員の頭部はエアバッグの凹部に深く入り込み、乗員の頭部にエアバッグが強く接触することが避けられる。これにより、異常接近時（Out Of Position）の乗員に対する首傷害値を低減させることが可能となる。
【０００９】
好ましくは、前記エアバッグは、前記凹部の内壁を形成するインナーパネルと；それ以外の本体パネルとを備える。インナーパネルは、２枚のパネルを貼り合わせた構成とすることができる。
【００１０】
更に好ましくは、前記エアバッグ内部に膨張ガスを供給するガス供給部と；前記ガス供給部が固定される固定部とを更に備える。そして、前記規制部材の一端が前記固定部に固定され、他端が前記凹部の底部に対応する前記インナーパネルに固定される構造とする。なお、前記規制部材は、前記エアバッグと同一素材で成形することができる。
【発明を実施するための最良の形態】
【００１１】
図１は、一般的なエアバッグ装置の作動状態を示す説明図である。本発明の実施例に係るエアバッグ装置１０は、膨張展開可能な状態でハウジング２０に収容されたエアバッグ１２と、膨張ガスを発生するインフレータ１８とを備えている。エアバッグ装置１０は、例えば、インストルメントパネル１６内に配置され、助手席の乗員１４を拘束する。なお、本発明は、ステアリングホイールに内蔵される運転席用のエアバッグ装置にも適用可能である。図において、１２ａは展開状態のエアバッグを示し、２２は座席シートを示す。なお、本発明によるエアバッグの実際の展開状態については、図３及び図５に示し、詳細については後述する。
【００１２】
図２は、本発明の実施例に係るエアバッグ装置のエアバッグ１２の展開状態を示す側面図である。図３は、図２のＡ−Ａ’方向の断面図（上面図）である。本実施例に係るエアバッグ装置１０は、膨張展開可能な状態で折り畳まれ、膨張展開時に乗員側中央付近に凹部３８が形成される構成であり、前記凹部３８を形成するインナーパネル３０（図の斜線模様部）を有するエアバッグ１２と；エアバッグ１２内部に膨張ガスを供給するインフレータ（ガス供給部）１８と；ハウジング２０の一部分でインフレータ１８を固定する固定部２８と；一端が固定部２８に固定され、他端が前記凹部３８の底部に対応する前記インナーパネル３０に固定されるテザー（規制部材）３２とを備えている。エアバッグ１２の膨張展開時に、インナーパネル３０の後端部３９が乗員１４側に移動するのをテザー３２によって規制することで、凹部３８が形成される。
【００１３】
エアバッグ１２は、外部から見たときに１つの袋状となっている。すなわち、エアバッグ１２は、仮にテザー３２を備えない場合には、凹部３８が形成されることなく、どこにも凹みのないボールのような形状となる。
【００１４】
エアバッグ１２は、インナーパネル３０の他に本体パネル２６を有する。本体パネル２６とインナーパネル３０とは、縫製によって連結することができる。また、本体パネル２６は、複数のシートを縫い合わせることによって成形することができる。また、インナーパネル３０は、２枚のシートを中央で縫い合わせることによって成形し、あるいは１枚のシートとして成形することもできる。本体パネル２６は、例えば、ナイロン６．６（ＪＩＳ規格）で成形されている。なお、ナイロンはポリアミドとも表記することができる。インナーパネル３０は、本体パネル２６と同一素材で成形することができる。上述したように、テザー３２の一端は２枚のインナーパネル３０の中央縫製部に固着される。
【００１５】
本実施例では、ハウジング２０のインフレータ１８の固定部２８に規制部材としてのテザー３２の一端が取り付けられているが、エアバッグ１２の展開時にその凹部３８の底部が当該テザー３２によって引っ張られるような位置関係であれば、テザー３２の端部の固定位置は特に限定されない。好ましくは、エアバッグ１２の展開時にインナーパネル３０に対して相対的に移動量の少ない本体パネル２６のハウジング２０付近にテザー３２が固定される。より好ましくは、ハウジング２０の一部にテザー３２が固定される。
【００１６】
図４は、実施例に係るエアバッグ装置１０の使用状態を示す模式図であり、インパネ１６に対して乗員１４が異常接近している場合の状態を示す。図５は、図４のＢ−Ｂ’方向の断面図（上面図）である。図４及び図５に示すように、乗員１４がインパネ１６に異常接近した状態でエアバッグ装置１０が作動した場合、エアバッグ１２が乗員側に展開しようとするが、テザー３２によってインナーパネル３０の乗員１４側への移動が規制され、凹部３８が形成される。そして、乗員１４の頭部はエアバッグの凹部３８に深く入り込み、乗員１４の頭部にエアバッグが強く接触することが避けられる。これにより、異常接近時（Out Of Position）の乗員１４に対する首傷害値を低減させることが可能となる。
【００１７】
図６は、実施例に係るエアバッグ装置１０の使用状態を示す模式図であり、乗員１４が正常着座している場合のエアバッグ１２の展開状態を示す。図７は、図４のＣ−Ｃ’方向の断面図（上面図）である。図６及び図７に示すように、乗員１４が正常着座位置で乗車している場合、エアバッグ１２が乗員側に展開しようとするが、テザー３２によってインナーパネル３０の乗員１４側への移動が規制され、凹部３８が形成される。そして、乗員１４の頭部はエアバッグの凹部３８に浅く入り込み、乗員１４の頭部にエアバッグが強く接触することが避けられる。これにより、正常着座時（Normal Position）の乗員１４に対する首傷害値を低減させることが可能となる。また、エアバッグ１２は乗員１４の胸部及び／又は肩部に接触するため、乗員１４を十分に拘束することができる。
【００１８】
以上、本発明の実施例について説明したが、本発明はこれらの実施例に何ら限定されるものではなく、特許請求の範囲に示された技術的思想の範疇において変更可能なものである。例えば、エアバッグ１２は１つの袋であれば良く、本発明による規制部材が配置できる限り、その中にもう一つの別の袋を設けたり、複数の室に分けたりしても良い。
【図面の簡単な説明】
【００１９】
【図１】図１は、一般的なエアバッグ装置の作動状態を示す説明図である。
【図２】図２は、本発明の実施例に係るエアバッグ装置のエアバッグの展開状態を示す側面図である。
【図３】図３は、図２のＡ−Ａ’方向の断面図（上面図）である。
【図４】図４は、実施例に係るエアバッグ装置の使用状態を示す模式図であり、インパネに対して乗員が異常接近している場合の状態を示す。
【図５】図５は、図４のＢ−Ｂ’方向の断面図（上面図）である。
【図６】図６は、実施例に係るエアバッグ装置の使用状態を示す模式図であり、乗員が正常着座している場合のエアバッグの展開状態を示す。
【図７】図７は、図４のＣ−Ｃ’方向の断面図（上面図）である。
【符号の説明】
【００２０】
１０      エアバッグ装置
１２      エアバッグ
１４      乗員
１６      インパネ
１８      インフレータ
２０      ハウジング
３０      インナーパネル
３２      テザー（規制部材）
３８      凹部
【図１】
2006051884.tif 000003
【図２】
2006051884.tif 000004
【図３】
2006051884.tif 000005
【図４】
2006051884.tif 000006
【図５】
2006051884.tif 000007
【図６】
2006051884.tif 000008
【図７】
2006051884.tif 000009